(57)【要約】  ミラー開閉可能な投写型映像表示装置において、装置の大型化を招くことなく、ミラーの開閉を容易にする。そのため、画像表示手段の画像を拡大して投写する投写型映像表示装置は、電源部と光源部と、光源部からの光を前記画像表示手段に導いた後に拡大するレンズユニットとを内部に有する筐体（１０）と、筐体（１０）の上面に形成される投写光用の開口部（２６）を覆い筐体（１０）に対して回動可能に設けられ内面側に凸面ミラー（１１０）を有する開閉式ミラー（３０）とを備える。開閉式ミラー（３０）で筐体（１０）上面を覆ったときに、投写型映像表示装置の上面が開閉式ミラー（３０）の端部と開口部（２６）の前縁との間で上下方向に段差のない滑らかに接続された滑らかな凸曲面となるとともに、開閉式ミラー（３０）の回動軸の方向における少なくとも一方側の側面に半擂り鉢状の窪み（４５）が形成される。
2015037137.tif 000002
【特許請求の範囲】
【請求項１】
画像表示手段の画像を拡大して投写する投写型映像表示装置であって、  電源部と光源部と前記光源部からの光を前記画像表示手段に導いた後に拡大するレンズユニットとを内部に有する筐体と、前記筐体の上面に形成される投写光用の開口部を覆い前記筐体に対して回動可能に設けられ内面側に凸面ミラーを有する開閉式ミラーとを備え、前記開閉式ミラーで前記筐体の上面を覆ったときに、前記投写型映像表示装置の上面が前記開閉式ミラーの端部と前記開口部の前縁との間で上下方向に段差のない滑らかに接続された凸曲面となるとともに、前記開閉式ミラーの回動軸の方向における少なくとも一方側の側面に半擂り鉢状の窪みが形成されることを特徴とする投写型映像表示装置。
【請求項２】
前記開閉式ミラーは回動軸方向の両側面部が上下方向に延びる面を形成しており、前記窪みは、前記開閉式ミラーの前記両側面部と筐体の上面部とで形成されており、前記両側面部は前記開閉式ミラーを手動で回動するときの把持部として利用可能であることを特徴とする請求項１に記載の投写型映像表示装置。
【請求項３】
前記両側面部に、この投写型映像表示装置の操作者の指が把持する凹みを形成したことを特徴とする請求項２に記載の投写型映像表示装置。
【請求項４】
前記筐体の上面に形成される開口部の前縁部は、前記開閉式ミラーを開いたときに、前記レンズユニットを経て前記開閉式ミラーの凸面ミラーで反射される反射光の下限光の光路よりも映像範囲の外側で下限光近傍に形成されていることを特徴とする請求項１に記載の投写型映像表示装置。
【請求項５】
前記開閉式ミラーの側面側に形成される前記窪みの前縁側は、前記下限光の光路よりも映像範囲の外側で下限光近傍に形成されていることを特徴とする請求項４に記載の投写型映像表示装置。
【請求項６】
前記開閉式ミラーの側面側に形成される前記窪みの底面形状は、前記開閉式ミラーの凸面ミラーで反射される反射光の下限光の光路よりも映像範囲の下側で、下限光近傍に形成されていることを特徴とする請求項４に記載の投写型映像表示装置。
【請求項７】
前記開閉式ミラーを閉じた状態では、前記凸面ミラーの上端部と前記レンズユニットの最終段である投写レンズの上端部がほぼ同じ高さとなるように、前記開閉式ミラーの回動中心位置を前記筐体内に定めたことを特徴とする請求項１に記載の投写型映像表示装置。
【請求項８】
前記開閉式ミラーの回動軸方向長さの最大が、操作者が一方の手だけで把持できる長さであることを特徴とする請求項１ないし７のいずれか１項に記載の投写型映像表示装置。
【発明の詳細な説明】
【技術分野】
【０００１】  本発明は、画像表示手段からの映像を拡大して投写表示する投写型映像表示装置に係り、特に開閉式ミラー備えた短焦点の投写型映像表示装置に関する。
【背景技術】
【０００２】  従来の投写型映像表示装置(プロジェクタ装置)の例が、特許文献１から３に記載されている。これらの特許文献に記載のプロジェクタ装置では、装置上面に背面側がほぼ平板状のミラーを開閉可能に設けている。そして、プロジェクタ装置を使用する時にはミラーを開いて、ミラー面と異なる角度方向に画像を投写する。プロジェクタ装置の不使用時にはミラーを閉じてプロジェクタ装置の上面にほぼ平らな面を形成している。特許文献２，３に記載のプロジェクタではさらに、ミラーの開閉を、駆動モータを用いて自動化している。
【先行技術文献】
【特許文献】
【０００３】
【特許文献１】特開平１１−１１９３４３号公報
【特許文献２】特開２００９−４２３７１号公報
【特許文献３】特開２０１１−１５００６４号公報
【発明の概要】
【発明が解決しようとする課題】
【０００４】  短焦点のプロジェクタ装置において、横置きで使用する場合には、投写ミラーを垂直よりもさらに傾けて位置させることにより、プロジェクタ装置の近傍の水平面に拡大した映像を提供できる。【０００５】  ところで、上記特許文献１に記載の液晶プロジェクタ装置では、ミラー閉じた状態で装置上面がほぼ真っ平らになる開閉可能なミラー手段を設けている。これにより、液晶プロジェクタのミラーが意図せずに開くのを防止できる。しかしながら、プロジェクタ装置の上面をほぼ真っ平らにしたことにより、各種光学レンズやミラーで構成される光学系との関係から相対的に高さ方向距離が大きくなってしまい、可搬性や小型化の面でさらなる改善が求められている。また、この上記特許文献１に記載の液晶プロジェクタでは、ミラー部に指の把持部が無く開閉を手動で行い難いという課題がある。【０００６】  特許文献２や３に記載のプロジェクタ装置では、縦置きで使用することにより投写ミラーから水平面に拡大画像がゆがみなく提供されている。そして、ミラー部を開閉するために、ミラー開閉用の駆動モータや制御系を備えている。その結果、ミラーが意図せずに開くのを防止できるものの、ミラー駆動系を備えることにより、プロジェクタ装置が大型化するのを免れざるを得ないという課題がある。【０００７】  本発明は上記従来技術の課題に鑑みなされたものであり、その目的は、ミラー開閉可能な投写型映像表示装置(プロジェクタ装置)において、装置の大型化を招くことなく、ミラーの開閉を容易にすることにある。また、投写型映像表示装置の不使用時に、開閉ミラーが意図せずに開閉するのを防止することも目的とする。
【課題を解決するための手段】
【０００８】  上記目的を達成する本発明の特徴は、画像表示手段の画像を拡大して投写する投写型映像表示装置が、電源部と光源部と前記光源部からの光を前記画像表示手段に導いた後に拡大するレンズユニットとを内部に有する筐体と、前記筐体の上面に形成される投写光用の開口部を覆い前記筐体に対して回動可能に設けられ内面側に凸面ミラーを有する開閉式ミラーとを備え、前記開閉式ミラーで前記筐体上面を覆ったときに、前記投写型映像表示装置の上面が前記開閉式ミラーの端部と前記開口部の前縁との間で上下方向に段差のない滑らかに接続された凸曲面となるとともに、前記開閉式ミラーの回動軸の方向における少なくとも一方側の側面に半擂り鉢状の窪みが形成されることにある。
【発明の効果】
【０００９】  本発明によれば、投写型映像表示装置の開閉式ミラーの軸方向の少なくとも一側面側に筐体との間で窪みを形成したので、ミラー開閉可能な投写型映像表示装置(プロジェクタ装置)の大型化を招くことなく、ミラーを容易に開閉できる。
【図面の簡単な説明】
【００１０】
【図１】本発明に係る投写型映像表示装置の一実施例の斜視図である。
【図２】図１に示した投写型映像表示装置の斜視図であり、ミラー開状態を示す図である。
【図３Ａ】図１に示した投写型映像表示装置の上面図である。
【図３Ｂ】図１に示した投写型映像表示装置の前面図である。
【図３Ｃ】図１に示した投写型映像表示装置の背面図である。
【図４Ａ】図３のＡ−Ａ断面における輪郭図である。
【図４Ｂ】図３のＢ−Ｂ断面における輪郭図である。
【図４Ｃ】図３のＡ−Ａ断面におけるミラー開状態での輪郭図である。
【図５】図１に示した投写型映像表示装置のミラー開閉機構を示す図であり、投写型映像表示装置の正面断面図である。
【図６】図１に示した投写型映像表示装置の斜視図であり、ミラーを開く動作(開く前の動作)を説明する図である。
【図７】図１に示した投写型映像表示装置の斜視図であり、ミラーを開く動作(開いた後の動作)を説明する図である。
【発明を実施するための形態】
【００１１】  以下、本発明に係る投写型映像表示装置(プロジェクタ装置)の一実施例を、図面を用いて説明する。
【００１２】  図１及び図２は、本発明に係る開閉式ミラー３０を備えた投写型映像表示装置１００の斜視図である。そして、図１は開閉式ミラー３０を閉じて筐体１０の上面を滑らかな曲面とした図であり、図２は開閉式ミラー３０を開いて投写型映像表示装置１００の使用に供する図である。
【００１３】  本実施例の投写型映像表示装置１００は、例えば、Ａ４サイズ以下にして、３０〜５０インチもの拡大映像をひずみの無い状態で提供するものである。この投射型映像表示装置１００は、Ａ４サイズ以下としたので可搬性が高まり、会議や出張にも対応できる。なお、投写ミラー部の開閉を手動で実施することで、駆動機構の省略により小型化を図っている。具体的には、Ａ４ケースに収納可能なように、Ａ４サイズより一回り小さい大きさとなっており、長辺方向(開閉式ミラー３０の回動軸方向)の長さが約２７０ｍｍ、短辺方向が約２００ｍｍ、厚さ方向が約７０ｍｍ程度の箱型であり、持ち運びがしやすいように角部の無い丸みを帯びた形状としている。なお、この投写型映像表示装置１００は、図１、２に示したように横置きでも、また脚部１１を下側にして縦置きでも使用可能である。横置きにして使用した場合には、映像面は壁面等の垂直面を利用でき、縦置きにして使用した場合には机上面などの水平面を利用できる。
【００１４】  投写型映像表示装置１００を横置きとし、開閉式ミラー３０を閉じた状態では、投写型映像表示装置１００の筐体１０の上面には、ほとんど突起が無く、全体として中央部が盛り上がった形状となっている。筐体１０の盛り上がった中央部には、詳細を後述するレンズセット８３のフォーカスを調整するフォーカス調整つまみ２３とフォーカス調整つまみ２３の前側に位置する人感センサ２２が設けられている。フォーカス調整つまみ２３はダイヤル型で左右方向に指でなぞることによりフォーカスが調整される。人感センサ２２は、この投射型映像表示装置１００の操作者がゼスチャーにより頁めくり操作等をする場合に使用される。なお、人感センサ―２２を、必ずしも備える必要はない。
【００１５】  筐体１０の開口部２６を覆って配置される開閉式ミラー３０の後ろ側には、リモコン受光部２４が設けられており、図示しないリモコンから入力信号が入射される。これにより投写される映像を制御可能にする。筐体１０の上面であって開閉式ミラー３０の一方の側には、複数のタッチパネル式操作部２１が設けられている。タッチパネル式操作部２１は、電源のオン／オフや投写画像の位置矯正等に使用される。
【００１６】  投写型映像表示装置１００の左側面には、商用電源からの交流電力をこの投写型映像表示装置１００に供給する場合などに電源ケーブルが差し込まれる電源インレット部が、右側面には、筐体１０の内部を冷却するための空気を外部に吸入し排気するための吸入・排気口、および投写型映像表示装置１００により投写表示される画像を外部から入力するための端子部１２等が設けられている。また、底面や背面にも、図示しないが、冷却空気の吸入・排気口は設けられており、底面には投写型映像表示装置１００の設置角度を調整可能とする脚用ノブ１５（図４Ａ参照）などが取り付けられている。
【００１７】  ここで、筐体１０と開閉式ミラー３０とは、筐体１０の開口部２６の前縁と開閉式ミラー３０の上端部４２で接続部を形成している。接続部を含む筐体１０の中央部で、筐体１０全体が上側に滑らかな凸状であり、接続部において上下方向の段差をなくしている。開閉式ミラー３０の開閉端部の横方向長さは、後述する凸面ミラー１１０の大きさから決定される長さとなっており、その横方向端部ではほぼ直角に下方向に折れ曲がった形状となっている。
【００１８】  すなわち、開閉式ミラー３０の両端部には側面３１が形成されており、この側面３１と筐体上面の開口部２６に連続する面との間に窪み４５が形成される。この窪み４５は半擂り鉢状となっており、後述するように操作者が開閉式ミラー３０を開閉する際の把持空間として利用される。窪み４５は、筐体１０と大きく２つの曲線により区切られている。窪み４５の前側を形成する前縁部４１と後ろ側を形成する後縁部４６である。これらの形成については、詳細を後述する。
【００１９】  図示しない回動機構を利用して操作者が開閉式ミラー３０を外側に開くと、凸面ミラー１１０が所定の角度だけ垂直方向から後傾して保持される。この凸面ミラーの保持のために、筐体１０の内部であって開閉式ミラー３０の下辺近傍にミラー固定用ヒンジ１１２が設けられている（図５参照）。
【００２０】  凸面ミラー１１０は、開閉式ミラー３０の内側にミラーカバー３２により保持されている。凸面ミラー１１０は、中央部が外側に突き出た形状をしており、回転非対称に形成された反射ミラー（自由曲面ミラー）である。凸面ミラー１１０の外形形状は、上辺側が下辺側よりも長い角部が丸みを帯びた台形状をしている。
【００２１】  次に、図３Ａ〜図３Ｃ及び図４Ａ〜図４Ｃ、図５を用いて、本発明に係る投写型映像表示装置１００の筐体１０内部構造の概略を説明する。図３Ａは、投写型映像装置１００を横置きした場合の上面図であり、図３Ｂはその前面図、図３Ｃはその背面図である。図４Ａは図３ＡのＡ−Ａ線断面図、図４ＢはＢ−Ｂ線断面図である。図４Ｃは、図３ＡのＡ−Ａ線断面図に相当する図であり、開閉式ミラー３０を開いた状態を示す図である。なお、図４Ａ〜図４Ｃは、主として輪郭線を記載した図である。図５は、図４Ｂに対応する図であり、開閉式ミラー３０を開いた状態を示す図である。
【００２２】  図３Ａに示すように、投写型映像表示装置１００の筐体１０内には、長手方向の中間部であって前側端から開閉式ミラー３０の中間部まで延びて光学系１２０が配置されており、この光学系１２０の一方の側には、光源を有するＬＥＤ照明ユニット１３０が配置されている。ＬＥＤ照明ユニット１３０の手前側、すなわちタッチパネル式操作部２１の下方には、冷却手段が配置されている。光学系の他方の側には、電源部１５０が配置されている（図５参照）。
【００２３】  開閉式ミラー３０は、上述したように弧状の上端部４２を有する接続部で、筐体１０の開口部２６に滑らかに連続している。開閉式ミラー３０の根元部は、図３Ａに示すように、上端部４２よりも短い底辺部４８と、直立部４７とから形成されている。開閉式ミラー３０を開いて使用する際には、図４Ａに示す回動中心軸９０を中心に開閉式ミラー３０が図示しない回動機構により回動する。ここで、回動中心軸９０は、図４Ａに示すように開閉式ミラー３０を閉じた状態で、筐体１０の内部であって高さ方向も筐体１０の上面１０ｂ及びミラーカバー３２と底面１０ｄとの間に位置している。
【００２４】  回動中心軸を図４Ａのように定めたので、図４Ｃに示すように開閉式ミラー３０の根元部は、筐体１０の後側１０ａとの間に形成される空間内を回動して、内部に潜り込む。その結果、凸面ミラー１１０の下端部と投写レンズ８５の下端部をほぼ同じ高さにすることが可能になる。より正確には、レンズユニット８３を経過した投写光における下限側の光である下限光７１を、凸面ミラー１１０の下限近傍で反射させることが可能になる。
【００２５】  本実施例では、開閉式ミラー３０を閉じたときには開閉式ミラー３０の根元部を上側に、開閉式ミラー３０を開いたときには根元部が下側に移動するので、開閉式ミラー３０の根元部で開閉式ミラー３０を回動させた場合に比べ、投写型映像表示装置１００の高さが大きくなるのを回避できる。
【００２６】  図４Ｂの長手方向の断面に示すように、開閉式ミラー３０を閉じた状態では、筐体１０の上面は、窪み４５部を除いて、左右の筐体上面１０ｂ１，１０ｂ２に開閉式ミラー３０のミラーカバー３２ｂに接続するような曲面となっている。なお、図３Ｂ，図３Ｃに示すように、筐体１０の上面と開閉式ミラー３０との接続は滑らかになっており、携行時等において意図せずに開閉式ミラー３０が開くのを防止できる形状となっている。開閉式ミラー３０の内面側では、ミラーカバー３２ａが凸面レンズ１１０の四辺を保持している。筐体の側面１０ｅ１，１０ｅ２は、筐体上面１０ｂ１，１０ｂ２に接続しており、冷却手段のための吸排気スリット等が形成されている。
【００２７】  図４Ａ及び図４Ｃを用いて、光学系１２０の概要を説明する。ＬＥＤ照明ユニット１３０が有する半導体レーザからなる光源からの光を、外部からの映像信号（例えば、携帯端末からの映像信号）に応じて、液晶パネル等からなる透過式の光変調装置（画像表示手段）８１により変調する。なお画像表示手段８１は、マイクロミラーや反射型液晶パネルからなる反射式であってもよい。透過式の場合、画像表示手段８１は通常３枚用いるが、図４Ｃでは簡単のため１枚のみを示している。画像表示手段８１は、筐体１０の前側１０ｃ近傍に配置されている。
【００２８】  画像表示手段８１で得られた映像は、ＴＩＰプリズム８２で合成され、複数のレンズからなるレンズユニット８３を介して、投写レンズ８５から凸面ミラー１１０に投写される。投写レンズ８５を経過した投写光は、凸面ミラー１１０の表面で反射されて拡大投写される。
【００２９】  なお、上述した複数のレンズからなるレンズユニット８３は、映像の拡大投写に伴う各種の歪み、例えば、斜め入射による歪みや台形歪みなどを補正するために必要な、回転対称でない自由曲面形状のレンズ等を含めて、各種のレンズを含んで構成されている。また、レンズユニット８３は、図示しないベースに移動可能に搭載されている。筐体１０の上部に設けたフォーカス調整つまみ２３を操作することにより、図４Ｃの上下方向にレンズユニット８３の一部のレンズまたはレンズ群が移動し、フォーカス性能が調整される。
【００３０】  ところで、画像表示手段８１からプリズム８２およびレンズユニット８３を経て、投写レンズ８５から凸面ミラー１１０に投写される投写光は、凸面ミラー３２上で反射する。そして、図４Ｃにおける下限光７１と上限光７２の範囲θｃ内において、映像を形成する。凸面ミラー３２で反射した光は、例えば、スクリーンや壁面や机やテーブルなどの表面に投写されて、映像光を形成する。
【００３１】  図４Ｃから明らかなように、投写レンズ８５から出射される投写光及び凸面レンズ１１０で反射される反射光の上限側である上限光７２の光路に、投写型映像表示装置１００は何ら影響を及ぼさない。一方、凸面レンズ１１０で反射された下限光７１は、投写型映像表示装置１００を小型化するために、開口部２６の前縁部２７近傍を通過する。換言すれば、開口部２６の前縁２７は、下限光７１と干渉するのを避ける大きさに形成されている。
【００３２】  以上は、投写映像の上下方向に関してであるが、投写映像の横方向に関しても光路を確保する必要がある。図５を用いて、凸面レンズ１１０で反射される反射光の光路の横方向の広がりを説明する。レンズユニット８３を構成するレンズ１２１から出射される光の広がりを示している。歪の無い映像を得るために、下限光は、左限界の光７１ｂから右限界の光７１ａの間で角度θｂだけの空間を光路として必要とする。一方上限光は、左限界の光７２ｂから右限界の光７２ａの間で角度θａだけの空間を光路として必要とする。
【００３３】  この横方向に関しても上下方向と同様に、上限光７２ａ，７２ｂの光路は、投写型映像表示装置１００により遮られることはない。一方、下限光７１ａ、７１ｂは、開閉式ミラー３０の側部で、筐体１０の上面と干渉する。この干渉部分を切り取って窪み４５を形成することにより、下限光７１ａ、７１ｂは干渉の無いきれいな映像をスクリーン等の上に再現できる。
【００３４】  したがって、窪み４５の形状は、開閉式ミラー３０の側面３１と筐体１０の上面１０ｂ１，１０ｂ２の曲面と下限光７１（７１ａ、７１ｂ）の光路形状に応じた擂り鉢形状となる。なお、窪み４５の後縁部４６は光路形状には直接関係しないが、窪み４５を開閉式ミラー３０の操作時の把持部空間として使用することから、指の大きさに応じた形状とする。
【００３５】  上述したように、凸面ミラー１１０と自由曲面レンズを含むレンズユニット８３からなる光学系を採用したので、投写型映像表示装置１００から映像投写面までの距離が短くても、歪の無く十分拡大された映像を表示可能な投写性能を確保している。例えば、投写型映像表示装置１００を、映像を投写する面にその先端部を当接した状態で配置した状態で映像を投写した場合、２９．７インチ×１８．５インチ（対角３５インチの画面サイズ１６：１０）の画面を得ることが出来た。
【００３６】  次に、図６及び図７を用いて開閉式ミラー３０の開閉動作について説明する。図６は、開閉式ミラー３０を開く直前の動作状態を示す斜視図であり、図７は開閉式ミラー３０を所定角度まで開いた動作状態を示す斜視図である。これらの図では右手での操作を示しているが、左手で操作してもよいことは言うまでもない。
【００３７】  操作者２００は、一方の窪み４５を利用して、開閉式ミラー３０のミラーカバー３１側からカバー側面部２１を親指２０１で把持し、他方の窪み４５を利用して、開閉式ミラー３０の他方のカバー側面部３１を人差し指２０２や、中指２０３、薬指等で把持する。その後、図示しない回動機構を利用して、ミラー固定用ヒンジ１１２が停止させる位置まで開閉式ミラー３０を回動させる。開閉式ミラー３０を閉じる場合は、これと逆の動作をする。これにより、手動ではあるが確実に凸面ミラー１１０の位置を固定保持でき、安定した投写映像を得ることができる。
【００３８】  本実施例によれば、投写型映像表示装置に開閉可能な開閉式ミラーを備え、この開閉式ミラーを手動で操作可能にするとともに、開閉式ミラーの回動中心軸を投写型映像表示装置内としたので、回動用の駆動手段が不要となり、投写型映像表示装置を小型化できる。それとともに、開閉式ミラーと筐体上面との間にくぼみを形成し、かつ筐体と開閉式ミラーとの間の接続部を滑らかな曲面としたので、意図せずに開閉式ミラーが開くのを防止できる。これにより、投写型映像表示装置を携行中に、筐体と開閉式ミラーの間から文房具等が入り込んで凸面ミラーを破損する等の不具合の発生が完全に回避される。
【００３９】  なお、上記構成において、開閉式ミラー３０の把持部となる左右のカバー側面部３１に、僅かな凹み等を設けて指での把持を確実にするようにしてもよい。また、開閉式ミラーを閉じた状態では、凸面ミラーの上端部とレンズユニットの最終段である投写レンズの上端部がほぼ同じ高さとなるようにしてもよい。これにより、投写型映像表示装置の小型化が可能になる。さらに、開閉式ミラーの回動軸方向長さの最大は、操作者が一方の手だけで把持できる長さ程度にすることが望ましい。開閉式ミラーの回動軸方向長さは、凸面ミラーで反射される反射光の光路により定まるが、この大きさは例えば１０ｃｍ程度あれば、十分に映像も実現できるし、操作者が把持できる大きさでもある。
【００４０】  また上記実施例においては、光学系が筐体の長手方向ほぼ中央部に位置し、その両側にそれぞれ電源とＬＥＤ照明ユニットを配置しているが、光学系を長手方向一方端側に配置し、電源やＬＥＤ照明ユニットを空きスペースに配置するようにしてもよい。この場合、筐体上面には窪みは１個しか形成されないが、この１個の窪みを利用して親指またはその他の指を開閉式ミラーの把持に用いればよい。そして開閉式ミラーの他方の側面を同様に把持手段として使用すれば、上記実施例と同様の効果が得られる。
【００４１】  本明細書に記載した実施例は例示的なものであり、限定的なものではない。本発明の範囲は、特許請求の範囲によって示されており、この範囲に入る全ての変形例は本発明に含まれる。
【符号の説明】
【００４２】１０…筐体、１０ａ…後側、１０ｂ〜１０ｂ２…前側カバー、１０ｃ…前側、１０ｄ…底面、１０ｅ１、１０ｅ２…側面、１１…脚部、１２…端子部、１５…脚用ノブ、２１…タッチパネル式操作部、２２…人感センサ、２３…フォーカス調整つまみ、２４…リモコン受光部、２６…開口部、２７…前縁部、３０…開閉式ミラー、３１…カバー側面部、３２〜３２ｂ…ミラーカバー、４１…窪み前縁部、４２…ミラー上端部、４５…窪み(干渉回避部)、４６…窪み後縁部、４７…直立部、４８…底辺部、７１〜７１ｂ…下限光、７２〜７２ｂ…上限光、８１…画像表示手段、８２…プリズム、８３…レンズユニット、８５…投写レンズ、９０…ミラー回転中心、１００…投写型映像表示装置、１１０…凸面ミラー、１１２…ミラー固定用ヒンジ、１２０…光学系、１２１…レンズ、１３０…ＬＥＤ照明ユニット、１５０…電源部、１６０…冷却手段、２００…操作者の手、２０１…親指、２０２…人差し指、２０３…中指、θａ…上限光左右映像範囲、θｂ…下限光左右映像範囲、θｃ…上下方向映像範囲。
【図１】
2015037137.tif 000003
【図２】
2015037137.tif 000004
【図３Ａ】
2015037137.tif 000005
【図３Ｂ】
2015037137.tif 000006
【図３Ｃ】
2015037137.tif 000007
【図４Ａ】
2015037137.tif 000008
【図４Ｂ】
2015037137.tif 000009
【図４Ｃ】
2015037137.tif 000010
【図５】
2015037137.tif 000011
【図６】
2015037137.tif 000012
【図７】
2015037137.tif 000013
【手続補正書】
【提出日】平成28年11月25日(2016.11.25)
【手続補正１】
【補正対象書類名】明細書
【補正対象項目名】００２１
【補正方法】変更
【補正の内容】
【００２１】
次に、図３Ａ〜図３Ｃ及び図４Ａ〜図４Ｃ、図５を用いて、本発明に係る投写型映像表示装置１００の筐体１０内部構造の概略を説明する。図３Ａは、投写型映像表示装置１００を横置きした場合の上面図であり、図３Ｂはその前面図、図３Ｃはその背面図である。図４Ａは図３ＡのＡ−Ａ線断面図、図４ＢはＢ−Ｂ線断面図である。図４Ｃは、図３ＡのＡ−Ａ線断面図に相当する図であり、開閉式ミラー３０を開いた状態を示す図である。なお、図４Ａ〜図４Ｃは、主として輪郭線を記載した図である。図５は、図４Ｂに対応する図であり、開閉式ミラー３０を開いた状態を示す図である。
【手続補正２】
【補正対象書類名】明細書
【補正対象項目名】００２３
【補正方法】変更
【補正の内容】
【００２３】
開閉式ミラー３０は、上述したように弧状の上端部４２を有する接続部で、筐体１０の開口部２６に滑らかに連続している。開閉式ミラー３０の根元部は、図３Ａに示すように、上端部４２よりも短い底辺部４８と、直立部４７とから形成されている。開閉式ミラー３０を開いて使用する際には、図４Ａに示す回動中心軸９０を中心に開閉式ミラー３０が図示しない回動機構により回動する。ここで、回動中心軸９０は、図４Ａに示すように開閉式ミラー３０を閉じた状態で、筐体１０の内部であって、高さ方向も筐体１０の上面１０ｂ及びミラーカバー３２と底面１０ｄとの間に位置している。
【手続補正３】
【補正対象書類名】明細書
【補正対象項目名】００２８
【補正方法】変更
【補正の内容】
【００２８】
画像表示手段８１で得られた映像は、プリズム８２で合成され、複数のレンズからなるレンズユニット８３を介して、投写レンズ８５から凸面ミラー１１０に投写される。投写レンズ８５を経過した投写光は、凸面ミラー１１０の表面で反射されて拡大投写される。
【手続補正４】
【補正対象書類名】明細書
【補正対象項目名】００３７
【補正方法】変更
【補正の内容】
【００３７】
操作者２００は、一方の窪み４５を利用して、開閉式ミラー３０のタッチパネル式操作部２１側からカバー側面部３１を親指２０１で把持し、他方の窪み４５を利用して、開閉式ミラー３０の他方のカバー側面部３１を人差し指２０２や、中指２０３、薬指等で把持する。その後、図示しない回動機構を利用して、ミラー固定用ヒンジ１１２が停止させる位置まで開閉式ミラー３０を回動させる。開閉式ミラー３０を閉じる場合は、これと逆の動作をする。これにより、手動ではあるが確実に凸面ミラー１１０の位置を固定保持でき、安定した投写映像を得ることができる。
【手続補正５】
【補正対象書類名】明細書
【補正対象項目名】００４２
【補正方法】変更
【補正の内容】
【００４２】
１０…筐体、１０ａ…後側、１０ｂ〜１０ｂ２…上面、１０ｃ…前側、１０ｄ…底面、１０ｅ１、１０ｅ２…側面、１１…脚部、１２…端子部、１５…脚用ノブ、２１…タッチパネル式操作部、２２…人感センサ、２３…フォーカス調整つまみ、２４…リモコン受光部、２６…開口部、２７…前縁部、３０…開閉式ミラー、３１…カバー側面部、３２〜３２ｂ…ミラーカバー、４１…窪み前縁部、４２…ミラー上端部、４５…窪み(干渉回避部)、４６…窪み後縁部、４７…直立部、４８…底辺部、７１〜７１ｂ…下限光、７２〜７２ｂ…上限光、８１…画像表示手段、８２…プリズム、８３…レンズユニット、８５…投写レンズ、９０…ミラー回転中心、１００…投写型映像表示装置、１１０…凸面ミラー、１１２…ミラー固定用ヒンジ、１２０…光学系、１２１…レンズ、１３０…ＬＥＤ照明ユニット、１５０…電源部、１６０…冷却手段、２００…操作者の手、２０１…親指、２０２…人差し指、２０３…中指、θａ…上限光左右映像範囲、θｂ…下限光左右映像範囲、θｃ…上下方向映像範囲。
【手続補正６】
【補正対象書類名】特許請求の範囲
【補正対象項目名】全文
【補正方法】変更
【補正の内容】
【特許請求の範囲】
【請求項１】
画像表示手段の画像を拡大して投写する投写型映像表示装置であって、
電源部と光源部と前記光源部からの光を前記画像表示手段に導いた後に拡大するレンズユニットとを内部に有する筐体と、前記筐体の上面に形成される投写光用の開口部を覆い前記筐体に対して回動可能に設けられ内面側に凸面ミラーを有する開閉式ミラーとを備え、  前記開閉式ミラーで前記筐体の上面を覆ったときに、前記投写型映像表示装置の上面が前記開閉式ミラーの端部と前記開口部の前縁との間で上下方向に段差がないように滑らかに接続され、中央部が盛り上がった凸曲面となるとともに、前記開閉式ミラーの回動軸の方向における両側面に半擂り鉢状の窪みが形成され、
前記開閉式ミラーは回動軸方向の両側面部が上下方向に延びる面を形成しており、前記窪みは、前記開閉式ミラーの前記両側面部と筐体の上面部とで形成されており、前記両側面部は前記開閉式ミラーを手動で回動するときの把持部として利用可能であることを特徴とする投写型映像表示装置。
【請求項２】
前記両側面部に、前記投写型映像表示装置の操作者の指が把持する凹みを形成したことを特徴とする請求項１に記載の投写型映像表示装置。
【請求項３】
前記筐体の上面に形成される開口部の前縁部は、前記開閉式ミラーを開いたときに、前記レンズユニットを経て前記開閉式ミラーの凸面ミラーで反射される反射光の下限光の光路よりも映像範囲の外側で下限光近傍に形成されていることを特徴とする請求項１に記載の投写型映像表示装置。
【請求項４】
前記開閉式ミラーの側面側に形成される前記窪みの前縁側は、前記下限光の光路よりも映像範囲の外側で下限光近傍に形成されていることを特徴とする請求項３に記載の投写型映像表示装置。
【請求項５】
前記開閉式ミラーの側面側に形成される前記窪みの底面形状は、前記開閉式ミラーの凸面ミラーで反射される反射光の下限光の光路よりも映像範囲の下側で、下限光近傍に形成されていることを特徴とする請求項３に記載の投写型映像表示装置。
【請求項６】
前記開閉式ミラーを閉じた状態では、前記凸面ミラーの上端部と前記レンズユニットの最終段である投写レンズの上端部がほぼ同じ高さとなるように、前記開閉式ミラーの回動中心位置を前記筐体内に定めたことを特徴とする請求項１に記載の投写型映像表示装置。
【請求項７】
前記開閉式ミラーの回動軸方向長さの最大が、操作者が一方の手だけで把持できる長さであることを特徴とする請求項１ないし６のいずれか１項に記載の投写型映像表示装置。
【国際調査報告】
2015037137.tif 000014
2015037137.tif 000015
2015037137.tif 000016
2015037137.tif 000017